(57)【特許請求の範囲】
【請求項１】
水平方向の水平基準画素数および垂直方向の垂直基準画素数が定められた画像を表わす基準画像データを記録媒体に記録するための画像データ処理装置において，
垂直方向の画素数が上記垂直基準画素数のｎ倍あり，上記基準画像データのデータ量のｎ倍の画像データを生成し，生成された画像データによって表わされる画像のアスペクト比がノーマル表示のアスペクト比である固体電子撮像素子を含み，この固体電子撮像素子により被写体を撮像して得られる被写体像を表わす画像データを出力する撮像手段，
ワイド表示処理モードとノーマル表示処理モードとを選択的に設定可能なモード設定手段，
上記モード設定手段によるワイド表示処理モードの設定に応じて，上記撮像手段から出力される画像データによって表わされるノーマル表示画像のアスペクト比がワイド表示画像のアスペクト比となるように，上記撮像手段から出力される画像データを抽出する画像データ抽出手段，
上記画像データ抽出手段によって抽出された画像データによって表わされる画像の垂直方向の画素数および水平方向の画素数が上記水平基準画素数および上記垂直基準画素数となるように，上記抽出手段によって抽出された画像データのデータ量を調整する第１の画像データ調整手段，ならびに
上記モード設定手段によるノーマル表示処理モードの設定に応じて，上記撮像手段から出力される画像データによって表わされる画像の垂直方向の画素数および水平方向の画素数が上記水平基準画素数および上記垂直基準画素数となるように，上記撮像手段から出力された画像データのデータ量を調整する第２の画像データ調整手段，
を備えた画像データ処理装置。
【請求項２】
請求項１に記載の画像データ処理装置において，
上記モード設定手段により設定されたモードに応じて，上記第１の画像データ調整手段から出力される画像データまたは上記第２の画像データ調整手段から出力される画像データを，上記記録媒体に記録する記録手段，
を備えた画像データ記録装置。
【請求項３】
水平方向の水平基準画素数および垂直方向の垂直基準画素数が定められた画像を表わす基準画像データを記録する記録媒体に，垂直方向の画素数が上記垂直基準画素数のｎ倍あり上記基準画像データのデータ量のｎ倍の画像データによって表わされる画像のアスペクト比がノーマル表示のアスペクト比である画像データが，ワイド表示処理モードのときにワイド表示のアスペクト比となるように抽出され，この抽出された画像データによって表わされる画像の垂直方向の画素数および水平方向の画素数が上記垂直基準画素数および上記水平基準画素数となるようにデータ量が調整された画像データが記録され，ノーマル表示処理モードのときに上記ｎ倍の画像データによって表わされる画像の垂直方向の画素数および水平方向の画素数が上記垂直基準画素数および上記水平基準画素数となるようにデータ量が調整された画像データが記録されている場合に画像データを再生する装置であり，
上記記録媒体に記録されている画像データを読取る読取手段，
上記読取手段により読取られた画像データが，ワイド表示処理モードにもとづいて上記記録媒体に記録されているときには読取られた画像データによって表わされる画像のアスペクト比がワイド表示のアスペクト比となるように，上記読取手段により読取られた画像データにもとづいて画像データを生成して出力する第１の画像データ生成手段，ならびに
上記読取手段により読取られた画像データが，ノーマル表示モードにもとづいて上記記録媒体に記録されているときには読取られた画像データによって表わされる画像のアスペクト比がノーマル表示のアスペクト比となるように，上記読取手段により読取られた画像データにもとづいて画像データを生成して出力する第２の画像データ生成手段，
を備えた画像データ再生装置。
【請求項４】
水平方向の水平基準画素数および垂直方向の垂直基準画素数が定められた画像を表わす基準画像データを記録媒体に記録するための画像データ処理装置において，
垂直方向の画素数が上記垂直基準画素数のｎ倍あり，上記基準画像データのデータ量のｎ倍の画像データを生成し，生成された画像データによって表わされる画像のアスペクト比がノーマル表示のアスペクト比である固体電子撮像素子を用いて被写体を撮像し，被写体像を表わす画像データを得，
ワイド表示処理モードとノーマル表示処理モードとを選択的に設定可能としておき，
ワイド表示処理モードの設定に応じて，上記撮像により得られる画像データによって表わされるノーマル表示画像のアスペクト比がワイド表示画像のアスペクト比となるように，上記撮像により得られる画像データを抽出し，
上記画像データ抽出処理によって抽出される画像データによって表わされる画像の垂直方向の画素数および水平方向の画素数が上記水平基準画素数および上記垂直基準画素数となるように，上記抽出処理によって抽出された画像データのデータ量を調整する第１の画像データ調整処理を行ない，
ノーマル表示処理モードの設定に応じて，上記撮像手段から出力される画像データによって表わされる画像の垂直方向の画素数および水平方向の画素数が上記水平基準画素数および上記垂直基準画素数となるように，上記撮像手段から出力された画像データのデータ量を調整する第２の画像データ調整処理を行なう，
画像データ処理方法。
【請求項５】
請求項１に記載の画像データ処理方法において，
設定されたモードに応じて，上記第１の画像データ調整処理から得られる画像データまたは上記第２の画像データ調整処理から得られる画像データを，上記記録媒体に記録する，
画像データ記録方法。
【請求項６】
水平方向の水平基準画素数および垂直方向の垂直基準画素数が定められた画像を表わす基準画像データを記録する記録媒体に，垂直方向の画素数が上記垂直基準画素数のｎ倍あり上記基準画像データのデータ量のｎ倍の画像データによって表わされる画像のアスペクト比がノーマル表示のアスペクト比である画像データが，ワイド表示処理モードのときにワイド表示のアスペクト比となるように抽出され，この抽出された画像データによって表わされる画像の垂直方向の画素数および水平方向の画素数が上記垂直基準画素数および上記水平基準画素数となるようにデータ量が調整された画像データが記録され，ノーマル表示処理モードのときに上記ｎ倍の画像データによって表わされる画像の垂直方向の画素数および水平方向の画素数が上記垂直基準画素数および上記水平基準画素数となるようにデータ量が調整された画像データが記録されている場合に画像データを再生する方法であり，
上記記録媒体に記録されている画像データを読取り，
読取られた画像データが，ワイド表示処理モードにもとづいて上記記録媒体に記録されているときには読取られた画像データによって表わされる画像のアスペクト比がワイド表示のアスペクト比となるように，上記読取手段により読取られた画像データにもとづいて画像データを生成して出力し，
読取られた画像データが，ノーマル表示モードにもとづいて上記記録媒体に記録されているときには読取られた画像データによって表わされる画像のアスペクト比がノーマル表示のアスペクト比となるように，上記読取手段により読取られた画像データにもとづいて画像データを生成して出力する，
画像データ再生方法。
【発明の詳細な説明】
【０００１】
【技術分野】
この発明は，アスペクト比が１６：９のワイド表示および４：３のノーマル表示の画像データを得るための画像データ処理装置および方法ならびに画像データ記録装置および方法ならびに画像データ再生装置および方法に関する。
【０００２】
【発明の背景】
標準テレビジョン方式における画面のアスペクト比が４：３であるのに対し，画面のアスペクト比が１６：９であるワイド画面のテレビジョン方式も実現されている。このように２種類のテレビジョン方式が併存していることから，一方のアスペクト比の画像を表わす画像データから他方のアスペクト比の画像を表わす画像データに変換する技術も要求されている。このような画像データの変換技術の一例としては特開平５−３５５５号公報，特開平５−１９９５４７号公報などに記載のものがある。
【０００３】
しかしながらこれらに記載のものはいずれもその構成が複雑であり，比較的簡易に特定のアスペクト比の画像を表わす画像データを他のアスペクト比の画像を表わす画像データに変換するものではない。特に民生用に利用される装置はコスト・ダウンが要求されることから比較的簡易なものでなければならない。
【０００４】
【発明の開示】
この発明は，比較的簡易に特定のアスペクト比の画像を表わす画像データを他のアスペクト比の画像を表わす画像データに変換することを目的とする。
【０００５】
第１の発明は，水平方向の水平基準画素数および垂直方向の垂直基準画素数が定められた画像を表わす基準画像データを記録媒体に記録するための画像データ処理装置において，垂直方向の画素数が上記垂直基準画素数のｎ倍あり，上記基準画像データのデータ量のｎ倍の画像データを生成し，生成された画像データによって表わされる画像のアスペクト比がノーマル表示のアスペクト比である固体電子撮像素子を含み，この固体電子撮像素子により被写体を撮像して得られる被写体像を表わす画像データを出力する撮像手段，ワイド表示処理モードとノーマル表示処理モードとを選択的に設定可能なモード設定手段，上記モード設定手段によるワイド表示処理モードの設定に応じて，上記撮像手段から出力される画像データによって表わされるノーマル表示画像のアスペクト比がワイド表示画像のアスペクト比となるように，上記撮像手段から出力される画像データを抽出する画像データ抽出手段，上記画像データ抽出手段によって抽出された画像データによって表わされる画像の垂直方向の画素数および水平方向の画素数が上記水平基準画素数および上記垂直基準画素数となるように，上記抽出手段によって抽出された画像データのデータ量を調整する第１の画像データ調整手段，ならびに上記モード設定手段によるノーマル表示処理モードの設定に応じて，上記撮像手段から出力される画像データによって表わされる画像の垂直方向の画素数および水平方向の画素数が上記水平基準画素数および上記垂直基準画素数となるように，上記撮像手段から出力された画像データのデータ量を調整する第２の画像データ調整手段を備えていることを特徴とする。
【０００６】
第１の発明は画像データ処理方法も提供している。すなわち，水平方向の水平基準画素数および垂直方向の垂直基準画素数が定められた画像を表わす基準画像データを記録媒体に記録するための画像データ処理装置において，垂直方向の画素数が上記垂直基準画素数のｎ倍あり，上記基準画像データのデータ量のｎ倍の画像データを生成し，生成された画像データによって表わされる画像のアスペクト比がノーマル表示のアスペクト比である固体電子撮像素子を用いて被写体を撮像し，被写体像を表わす画像データを得，ワイド表示処理モードとノーマル表示処理モードとを選択的に設定可能としておき，ワイド表示処理モードの設定に応じて，上記撮像により得られる画像データによって表わされるノーマル表示画像のアスペクト比がワイド表示画像のアスペクト比となるように，上記撮像により得られる画像データを抽出し，上記画像データ抽出処理によって抽出される画像データによって表わされる画像の垂直方向の画素数および水平方向の画素数が上記水平基準画素数および上記垂直基準画素数となるように，上記抽出処理によって抽出された画像データのデータ量を調整する第１の画像データ調整処理を行ない，ノーマル表示処理モードの設定に応じて，上記撮像手段から出力される画像データによって表わされる画像の垂直方向の画素数および水平方向の画素数が上記水平基準画素数および上記垂直基準画素数となるように，上記撮像手段から出力された画像データのデータ量を調整する第２の画像データ調整処理を行なうことを特徴とする。
【０００７】
設定されたモードに応じて，上記第１の画像データ調整処理から得られる画像データまたは上記第２の画像データ調整処理から得られる画像データを，上記記録媒体に記録することとなろう。
【０００８】
第２の発明は，上記第１の発明にもとづいて記録された画像データを再生するための装置である。第２の発明によると，上記記録媒体に記録されている画像データを読取る読取手段，上記読取手段により読取られた画像データが，ワイド表示処理モードにもとづいて上記記録媒体に記録されているときには読取られた画像データによって表わされる画像のアスペクト比がワイド表示のアスペクト比となるように，上記読取手段により読取られた画像データにもとづいて画像データを生成して出力する第１の画像データ生成手段，ならびに上記読取手段により読取られた画像データが，ノーマル表示モードにもとづいて上記記録媒体に記録されているときには読取られた画像データによって表わされる画像のアスペクト比がノーマル表示のアスペクト比となるように，上記読取手段により読取られた画像データにもとづいて画像データを生成して出力する第２の画像データ生成手段を備えていることを特徴とする。
【０００９】
第２の発明は，上記第１の発明にもとづいて記録された画像データを再生するための方法も提供している。すなわち，上記記録媒体に記録されている画像データを読取り，読取られた画像データが，ワイド表示モードにもとづいて上記記録媒体に記録されているときには読取られた画像データによって表わされる画像のアスペクト比がワイド表示のアスペクト比となるように，上記読取手段により読取られた画像データにもとづいて画像データを生成して出力し，読取られた画像データが，ノーマル表示モードにもとづいて上記記録媒体に記録されているときには読取られた画像データによって表わされる画像のアスペクト比がノーマル表示のアスペクト比となるように，上記読取手段により読取られた画像データにもとづいて画像データを生成して出力することを特徴とする。
【００１０】
水平基準画素数はたとえば７２０  であり，垂直基準画素数はたとえば４８０  である。また上記固体電子撮像素子にはたとえば水平方向７２０  画素，垂直方向９６０  画素のものが用いられる。
【００１１】
水平方向７２０  画素，垂直方向９６０  画素の固体電子撮像素子を用いて被写体を撮像して得られた画像データによって表わされる画像はノーマル表示のアスペクト比（４：３）である。ノーマル表示のアスペクト比をもつ画像を表わす画像データを，ワイド表示のアスペクト比（１６：９）をもつ画像を表わす画像データに変換するには，水平方向の画素数と垂直方向の画素数との比率を，ワイド表示のアスペクト比に対応させなければならない。水平方向７２０  画素，垂直方向９６０  画素を４：３とみなすと，１６：９のアスペクト比に対応させるには水平方向７２０  画素，垂直方向７２０  画素（９６０  ×３／４）とならなければならない。上記においてはワイド表示処理モードのときには，上記固体電子撮像素子から出力される水平方向７２０  画素，垂直方向９６０  画素の画像データについて水平方向７２０  画素，垂直方向７２０  画素の画像データとなるように上記画像データ抽出処理が行なわれている。この画像データ抽出処理により，ノーマル表示のアスペクト比（４：３）の画像を表わす画像データが，ワイド表示のアスペクト比（１６：９）の画像を表わす画像データに変換される。画像データの抽出処理は画像データの間引き処理でも，水平方向７２０  画素，垂直方向７２０  画素の画像データ以外の画像データのレベルを一定レベルに固定する処理であってもよい。
【００１２】
一方，ディジタル・ビデオ・テープ・レコーダにおいては，水平方向７２０  画素，垂直方向４８０  画素の約３５万画素の画像データを１０トラックにわたって記録するというようにその規格が定まっている。このため水平方向７２０  画素，垂直方向９６０  画素のノーマル表示のアスペクト比の画像を表わす画像データおよび水平方向７２０  画素，垂直方向７２０  画素のワイド表示のアスペクト比の画像を表わす画像データのいずれであっても，従来の規格にしたがって画像データを記録することはできない。このためにこの発明では水平方向７２０  画素，垂直方向９６０  画素のノーマル表示のアスペクト比の画像を表わす画像データおよび水平方向７２０  画素，垂直方向７２０  画素のワイド表示のアスペクト比の画像を表わす画像データは，水平方向７２０  画素，垂直方向４８０  画素となるように画像データの調整が行なわれる。この画像データの調整を行なうのが上記第１の画像データ調整処理および上記第２の画像データ調整処理である。これにより従来の規格に合致した記録が可能となる。
【００１３】
このようにして記録された画像データを再生するときには，水平方向７２０  画素，垂直方向４８０  画素の画像データが記録媒体から読取られる。読取られた画像データが，上述したワイド表示処理にもとづいて記録媒体に記録されたものならばワイド表示の画像のアスペクト比となるように，読取られた画像データにもとづいて画像データの生成処理がなされ，上述したノーマル表示処理にもとづいて記録媒体に記録されたものならばノーマル表示の画像のアスペクト比となるように，読取られた画像データにもとづいて画像データ生成処理がなされる。このようにして生成された画像データがワイド画像のアスペクト比をもつ表示装置またはノーマル画像のアスペクト比をもつ表示装置に与えられることによりワイド表示またはノーマル表示が実現される。
【００１４】
比較的簡易な構成でワイド表示およびノーマル表示のいずれもが可能となる。
【００１５】
【実施例の説明】
図１は，この発明の実施例を示すものでディジタル・ビデオ・テープ・レコーダの記録系の電気的構成を示すブロック図である。
【００１６】
このディジタル・ビデオ・テープ・レコーダは，１６：９のアスペクト比のワイド表示のための画像データと４：３のアスペクト比のノーマル表示のための画像データとを磁気テープに記録することができるものである。図１に示すディジタル・ビデオ・テープ・レコーダの説明の前に，ディジタル・ビデオ・テープ・レコーダの記録の規格について説明する。
【００１７】
磁気テープの記録フォーマットが図４（Ａ）  および（Ｂ）  に示されている。図４（Ａ）  は磁気テープ８のトラックＴｒを示すもので，磁気テープ８の長手方向に対して斜め方向に一定の角度で多数のトラックＴｒが形成される。これらの多数のトラックＴｒのうち連続する１０個のトラックを用いて１フレーム分のディジタル画像データが記録される。
【００１８】
図４（Ｂ）  にトラック・フォーマットが示されている。１つのトラックＴｒには，サブコード記録領域，ビデオ記録領域，補助記録領域，オーディオ記録領域およびトラック情報記録領域が含まれている。サブコード記録領域には高速検索のためのタイムコードや絶対トラック番号などの情報が記録される。ビデオ記録領域には被写体像を表わすディジタル画像データが記録される。オーディオ記録領域には音を表わすデータが記録される。トラック情報記録領域には磁気ヘッドがトラックＴｒの中心をトレースするための，トラックＴｒの基準となる情報が記録される。補助記録領域は飛び飛びに設けられ，この補助記録領域には付加情報が記録される。補助記録領域には，１駒分の画像を４つのフィールドに分けたときに，これらの４つのフィールドを表わす画像データが磁気テープ８のどこのトラックに記録されたかどうかを表わす記録領域データが記録される。各領域の間に設けられるギャップは図示が省略されている。
【００１９】
ディジタル・ビデオ・テープ・レコーダに用いられるＣＣＤは一般的には水平方向７２０  画素，垂直方向４８０  画素の約３５万画素の画素数をもつものが用いられる。このようなＣＣＤを用いて得られた１フレーム分のディジタル画像データが，磁気テープ８の１０トラックに記録される。これが既存の規格である。
【００２０】
磁気テープ８に記録される画像データによって表わされる画像の画質を向上させるためには，画素数の多いＣＣＤを用いれば良い。しかしながら，ディジタル・ビデオ・テープ・レコーダにおいては３５万画素の画素数をもつＣＣＤを用いて被写体を撮像して得られたディジタル画像データを，１０個のトラックに記録するようにその規格が定められているので，３５万画素の画素数よりも画素数の多いＣＣＤを用いて被写体を撮像して得られたディジタル画像データを磁気テープ８に記録すると，この規格から外れてしまう。ここで説明するディジタル・ビデオ・テープ・レコーダは，ディジタル・ビデオ・テープ・レコーダに一般的に用いられる３５万画素の画素数よりも多い画素数をもつＣＣＤを用いて被写体を撮像し，かつディジタル・ビデオ・テープ・レコーダの従来からの記録規格に合致した画像データの記録を可能とするものである。
【００２１】
図３は，図１に示すディジタル・ビデオ・テープ・レコーダに流れる画像のデータによって現される画像を示している。
【００２２】
図１および図３を参照して，被写体像は撮像レンズ１１によってＣＣＤ１２の受光面上に結像する。
【００２３】
ＣＣＤ１２は，ディジタル・ビデオ・テープ・レコーダの記録規格である水平方向７２０  画素，垂直方向４８０  画素＝約３５万画素の画像データ量の２倍であって垂直方向に２倍の画素の水平方向７２０  画素，垂直方向９６０  画素＝約７０万画素の画像データを生成するものである。水平方向７２０  画素，垂直方向９６０  画素の画像データによってあらわされる画像はアスペクト比４：３のノーマル表示画像に相当するものである。このような画像データからアスペクト比１６：９のワイド表示の画像を得るためにはアスペクト比１６：９のワイド表示の画像を表す画像データを得なければならない。
【００２４】
図１に示すディジタル・ビデオ・テープ・レコーダではＣＣＤ１２によって得られる水平方向７２０  画素，垂直方向９６０  画素の画像データによって表される画像をアスペクト比４：３のノーマル画像とみなしているから，水平方向７２０  画素，垂直方向７２０  画素の画像データに変換する必要がある。水平方向の画素数と垂直方向の画素数の比７２０  ：９６０  を画像のアスペクト比４：３とみなすと，画像のアスペクト比１６：９は水平方向の画素数と垂直方向の画素数の比では７２０  ：７２０  となるからである。
【００２５】
図１に示すディジタル・ビデオ・テープ・レコーダではモード設定によりワイド記録モードが指定されると水平方向７２０  画素，垂直方向９６０  画素の画素数の画像が水平方向７２０  画素，垂直方向７２０  画素の画素数の画像となるように画像データの変換処理がなされる。
【００２６】
一方，ディジタル・ビデオ・テープ・レコーダでは水平方向７２０  画素，垂直方向４８０  画素＝約３５万画素の画像データ量を磁気テープ８に記録するようにその規格が定まっているから，水平方向７２０  画素，垂直方向９６０  画素のノーマル表示の画像を表す画像データおよび水平方向７２０  画素，垂直方向７２０  画素のワイド表示の画像を表す画像データのいずれであっても規格に合致した記録を行うことはできない。このために図１に示すディジタル・テープ・レコーダでは規格に合致するように水平方向７２０  画素，垂直方向４８０  画素の画像を表す画像データとなるように画像データのフィルタリング処理がなされる。
【００２７】
図１を参照して被写体を撮像することによりＣＣＤ１２から出力されるアナログ映像信号は，データ読出回路１３に与えられ，ディジタル画像データに変換されてデータ配列作成回路１４に与えられる。データ配列回路１４は，シリアルに与えられる画像データを水平方向７２０  画素，垂直方向９６０  画素の画像を表す画像データに変換して出力する回路である。データ配列回路１４から出力される画像データは，切替スイッチ１５に与えられる。
【００２８】
切替スイッチ１５は，モード設定に応じてａ端子側とｂ端子側とが切替えられるもので，ワイド表示が設定されているときにはａ端子が接続され，ノーマル表示が設定されているときにはｂ端子が接続される。切替スイッチ１５はここでは有接点スイッチとして示されているが，実際には半導体スイッチにより実現されよう。
【００２９】
ワイド表示が設定されているときには，データ配列回路１４から出力される画像データは切替スイッチ１５を介して，画像データ抽出回路１６に与えられる。画像データ抽出回路１６は，図３に示すように，水平方向７２０  画素，垂直方向９６０  画素の画像データによって表される，アスペクト比４：３のノーマル表示画像を水平方向７２０  画素，垂直方向７２０  画素の画像データによって表されるワイド表示画像に変換するための回路である。水平方向７２０  画素，垂直方向９６０  画素の画像データのうち水平方向７２０  画素垂直方向７２０  画素の部分以外の画像データについては無効とされ出力されない。水平方向７２０  画素，垂直方向９６０  画素の画像の画像データのうち抽出する水平方向７２０  画素垂直方向７２０  画素の画像の画像データの部分は，とくに規定されないが好ましくは画像の中央部分を表す画像データを抽出する。
【００３０】
画像データ抽出回路１６によって抽出されて出力される画像データは第１の垂直フィルタリング回路１７に与えられる。垂直フィルタリング回路１７は，水平方向７２０  画素，垂直方向７２０  画素の画像を表す画像データを，ディジタル・ビデオ・テープ・レコーダの記録の規格に合致するように，水平方向７２０  画素，垂直方向４８０  画素の画像を表すように画像データの調整を行う回路である。例えば，第１の垂直フィルタリング回路１７により垂直方向に３つ隣接する画素が２つの画素の画像データとなるように平均演算され，垂直方向の画素が７２０  画素から４８０  画素に減少される。第１のフィルタリング回路はたとえば加算回路と平均化回路により構成される。
【００３１】
ノーマル表示が設定されているときには，切替スイッチ１５はｂ端子が接続されるからデータ配列作成回路１４から出力される画像データは第２の垂直フィルタリング回路１８に与えられる。第２の垂直フィルタリング回路１８も第１の垂直フィルタリング回路１７と同様に，与えられる画像データをディジタル・ビデオ・テープ・レコーダの記録の規格に合致させる回路である。第２の垂直フィルタリング回路１８には水平方向７２０  画素垂直方向９６０  画素の画像を表す画像データが与えられるから，第２の垂直フィルタリング回路１８において水平方向７２０  画素垂直方向４８０  画素の画像を表す画像データに変換される。第２の垂直フィルタリング回路１８は例えば垂直方向に２つ隣接する画素を相加平均する回路である。
【００３２】
第１の垂直フィルタリング回路１７の出力画像データおよび第２の垂直フィルタリング回路１８の出力画像データは，切替スイッチ１９のａ端子およびｂ端子に与えられる。切替スイッチ１９はモード設定がワイド表示ならばａ端子が接続され，モード設定がノーマル表示ならばｂ端子が接続される。これによりワイド表示の場合は第１の垂直フィルタリング回路１７の出力画像データがデータ圧縮回路２０に与えられ，ノーマル表示の場合は第２の垂直フィルタリング回路１８の出力画像データがデータ圧縮回路２０に与えられる。
【００３３】
データ圧縮回路２０は，入力する画像データを８画素×８画素のブロックに分割し，ブロックごとにＤＣＴ変換することにより画像データのデータ圧縮を施す回路である。また，データ圧縮回路２０において，ＤＣＴ変換された画像データについてハフマン符号化などの可変長符号化処理が行われて出力される。
【００３４】
データ圧縮回路２０の出力画像データはデータ列作成回路２１に与えられる。データ列作成回路２１には設定されたモード情報も与えられる。データ列作成回路２１によりビデオ記録領域Ａ２  に画像データが記録され，補助記録領域Ａ３  に設定されたモード情報を表すデータが記録されるようにデータ列が作成される。データ配列作成回路２１の出力画像データおよびモード設定を表すデータは磁気ヘッド２２に与えられ，磁気テープ８に記録される。画像データはディジタル・ビデオ・テープ・レコーダの記録の規格に合致しているので，従来の規格に従った記録が行われる。
【００３５】
図２はディジタル・ビデオ・テープ・レコーダの再生系の電気的構成を示すブロック図である。
【００３６】
磁気テープ８に記録された画像データおよびモード設定情報を表すデータが磁気ヘッド３１によって読み取られる。読み取られた画像データおよびモード設定情報を表すデータはデータ復調回路３２に与えられ，符号化された画像データの復調処理が行われる。データ復調回路３２から出力される画像データは，データ伸長回路３３に与えられて圧縮された画像データのデータ伸長処理が行われる。データ伸長回路３３の出力画像データは切替スイッチ３４に与えられる。
【００３７】
データ復調回路３２からは磁気ヘッド３１により読み取られたモード設定情報を表すデータも出力され，切替スイッチ３４に与えられる。切替スイッチ３４は，モード設定情報がワイド表示を示しているときにはａ端子が接続され，モード設定情報がノーマル表示を示しているときにはｂ端子が接続されるものである。
【００３８】
ワイド表示のときにはデータ伸長回路３３から出力される画像データは第１の画像データ生成回路３５に与えられ，水平方向７２０  垂直方向４８０  画素の画像データから水平方向７２０  画素垂直方向７２０  画素の画像データとされる。この画像データの生成は垂直方向に隣接する２つの画素が３つの画素となるように処理が行われる。この画像データ生成処理により１６：９のワイド表示のための画像データが生成される。第１の画像データ生成回路３５の出力画像データはワイド表示用の表示装置３６にあたえられ，１６：９のワイド表示がなされる。
【００３９】
ノーマル表示のときにはデータ伸張回路３３から出力される画像データは第２の画像データ生成回路３７に与えられ，水平方向７２０  画素垂直方向４８０  画素の画像データから水平方向７２０  画素垂直方向９６０  画素の画像データとされる。この画像データの生成は１つの画素が垂直方向に隣接する２つの画素となるように画像データの分割により行われる。この画像データ生成処理により４：３のノーマル表示のための画像データが生成される。第２の画像データ生成回路３７の出力画像データはノーマル表示用の表示装置３８に与えられ，４：３のノーマル表示がなされる。図３では２つの表示装置３６および３８がディジタル・ビデオ・テープ・レコーダに接続されているが１台の表示装置によってノーマル表示とワイド表示とを兼用してもよい。
【００４０】
さらに上述したノーマル表示では水平方向７２０  画素，垂直方向９６０  画素の高画質画像のノーマル表示が可能とされているが，水平方向７２０  画素，垂直画素４８０  画素の通常画質のノーマル表示も可能である。この場合は画像データ生成回路３７における画像データ生成処理はスキップされ，データ伸長された画像データが表示装置に与えられる。
【００４１】
以上のようにして画像データの記録および再生が行われる結果，撮影時には水平方向７２０  画素垂直方向９６０  画素の高画素の画像データが得られているので高画質の再生が可能となる。また比較的簡素な構成で１種類のＣＣＤ１２からワイド表示用の画像データおよびノーマル表示の画像データが得られる。
【図面の簡単な説明】
【図１】ディジタル・ビデオ・テープ・レコーダの記録系の電気的構成を示すブロック図である。
【図２】ディジタル・ビデオ・テープ・レコーダの再生系の電気的構成を示すブロック図である。
【図３】ディジタル・ビデオ・テープ・レコーダを流れる画像データによって表される画像の様子を示している。
【図４】（Ａ）は磁気テープのフォーマットを示し，（Ｂ）はトラック・フォーマットを示している。
【符号の説明】
１２  ＣＣＤ
１６  画像データ抽出回路
１７，１８  垂直フィルタリング回路
３５，３７  画像データ生成回路
【図１】
0003628069.tif 000002
【図２】
0003628069.tif 000003
【図３】
0003628069.tif 000004
【図４】
0003628069.tif 000005